(57)【要約】【課題】次世代ネットワークで提供される複数のコンテンツ提供サービスに関する情報を一括管理してユーザに提供することが可能なコンテンツ提供サービス管理システムを提供する。【解決手段】コンテンツ提供サービスを提供するコンテンツ提供装置３００と、コンテンツ提供サービスのサービス情報を管理するコンテンツ提供サービス管理装置１００と、サービス情報の通知を受けるための情報通知登録をコンテンツ提供サービス管理装置１００に送信するサービス情報受信装置２００と、を備えるコンテンツ提供サービス管理システムを提供する。コンテンツ提供装置３００は、コンテンツ提供サービス管理装置１００にサービス情報を送信し、コンテンツ提供サービス管理装置１００は、情報通知登録を送信したサービス情報受信装置２００に、コンテンツ提供装置３００から受信したサービス情報を通知する。各装置は、セッション開始プロトコルを用いて互いに通信を行う。【選択図】図１
2009003657.tif 000002
【特許請求の範囲】
【請求項１】
コンテンツを提供するコンテンツ提供サービスに関する情報を管理するためのコンテンツ提供サービス管理システムであって、
コンテンツ提供サービスを提供する複数のコンテンツ提供装置と、
前記複数のコンテンツ提供装置によって提供されるコンテンツ提供サービスに関するサービス情報を管理するコンテンツ提供サービス管理装置と、
前記コンテンツ提供サービス管理装置から前記サービス情報の通知を受けるための情報通知登録を、前記コンテンツ提供サービス管理装置に送信するサービス情報受信装置と、
を備え、
前記コンテンツ提供装置は、前記コンテンツ提供サービスに関するサービス情報を前記コンテンツ提供サービス管理装置に送信し、
前記コンテンツ提供サービス管理装置は、前記情報通知登録を送信した前記サービス情報受信装置に対し、前記コンテンツ提供装置から受信した前記サービス情報を通知し、
前記コンテンツ提供装置、前記コンテンツ提供サービス管理装置及び前記サービス情報受信装置は、セッション開始プロトコル（ＳＩＰ）を用いて互いに通信を行うことを特徴とする、コンテンツ提供サービス管理システム。
【請求項２】
前記コンテンツ提供サービス管理装置に対し送受信されるデータを中継するＳＩＰプロキシサーバをさらに備え、
前記コンテンツ提供装置は、前記ＳＩＰプロキシサーバを経由して前記サービス情報を前記コンテンツ提供サービス管理装置に送信し、
前記サービス情報受信装置は、前記ＳＩＰプロキシサーバを経由して前記通知登録を前記コンテンツ提供サービス管理装置に送信することを特徴とする、請求項１に記載のコンテンツ提供サービス管理システム。
【請求項３】
コンテンツを提供するコンテンツ提供サービスに関する情報を管理するコンテンツ提供サービス管理装置であって、
コンテンツ提供サービスを提供する複数のコンテンツ提供装置から前記コンテンツ提供サービスに関するサービス情報を受信するサービス情報受信部と、
前記コンテンツ提供サービスのユーザによって用いられるサービス情報受信装置から、前記サービス情報受信装置が前記サービス情報の通知を受けるための情報通知登録を受信する通知登録受信部と、
前記情報通知登録を送信した前記サービス情報受信装置に対し、前記コンテンツ提供装置から受信した前記サービス情報を通知するサービス情報通知部と、
を備え、
前記コンテンツ提供装置及び前記サービス情報受信装置との通信においてセッション開始プロトコル（ＳＩＰ）を用いることを特徴とする、コンテンツ提供サービス管理装置。
【請求項４】
前記コンテンツ提供装置から受信した前記サービス情報を格納するサービス情報記憶部をさらに備え、
前記サービス情報通知部は、前記サービス情報記憶部に格納された前記サービス情報を前記サービス情報受信装置に通知することを特徴とする、請求項３に記載のコンテンツ提供サービス管理装置。
【請求項５】
前記サービス情報は、ＲＳＳ形式及び／またはＡＴＯＭ形式のデータであることを特徴とする、請求項３に記載のコンテンツ提供サービス管理装置。
【請求項６】
前記サービス情報は、前記コンテンツ提供装置のアドレスを含むことを特徴とする、請求項３に記載のコンテンツ提供サービス管理装置。
【請求項７】
コンテンツを提供するコンテンツ提供サービスに関する情報を受信するコンテンツ提供サービス情報受信装置であって、
複数のコンテンツ提供サービスに関するサービス情報を管理するコンテンツ提供サービス管理装置に対し、前記サービス情報の通知を受けるための情報通知登録を行うサービス情報通知登録部と、
前記情報通知登録を行ったコンテンツ提供サービス管理装置から、前記サービス情報を受信するサービス情報受信部と、
を備え、
サービス情報通知登録部及び前記サービス情報受信部は、セッション開始プロトコル（ＳＩＰ）を用いて前記コンテンツ提供サービス管理装置と通信を行うことを特徴とする、コンテンツ提供サービス情報受信装置。
【発明の詳細な説明】
【技術分野】
【０００１】
本発明は、コンテンツ提供サービス管理システム、コンテンツ提供サービス管理装置及びコンテンツ提供サービス情報受信装置に関し、特に、次世代ネットワーク経由で提供されるコンテンツ提供サービスを管理するために用いられるコンテンツ提供サービス管理システム、コンテンツ提供サービス管理装置及びコンテンツ提供サービス情報受信装置に関する。
【背景技術】
【０００２】
近年、従来の回線交換式の電話回線網をＩＰ（Internet Protocol）技術をベースにしたネットワークに置き換える、次世代ネットワーク（Ｎｅｘｔ  Ｇｅｎｅｒａｔｉｏｎ  Ｎｅｔｗｏｒｋ；以下、ＮＧＮと称する）の構築に向けた動きが活発化している。ＮＧＮは、ネットワーク自体に帯域保証機能やセキュリティ機能を備え、ＳＩＰ（Session Initiation Protocol；セッション開始プロトコル）を用いてセッション制御を行う。
【０００３】
このようなＮＧＮにおいては、従来のテレビジョン放送やインターネット上のマルチキャスト／ユニキャストコンテンツ配信サービス等の提供を、１つのネットワーク上で受けることが可能となる。従って、ＮＧＮによるサービス提供が拡大した場合、複数の異なる事業者によって提供されるコンテンツ配信サービスに関する情報を一元管理し、提供されているコンテンツの情報を検索できるようにするサービスが求められる。
【０００４】
一方、従来のインターネットに代表されるＩＰネットワーク環境下においては、ネットワーク上で提供されるコンテンツを検索するために、主として検索エンジンが用いられている。また、複数の事業者による動画や音楽等のコンテンツ提供サービスを一元管理し、ユーザが所望のコンテンツを効率よく検索して取得するための機能を提供するサービスも存在する。
【０００５】
例えば、特許文献１には、映像配信サービスを提供する１以上の事業者を収容し、各事業者によって登録されたコンテンツの著作権管理を一括して行う映像配信プラットフォームが記載されている。この映像配信プラットフォームを用いることによって、従来各映像配信サービス事業者毎に異なっていた著作権管理レベルが統一され、コンテンツ毎に適切な著作権保護処理を施すことが可能となる。
【０００６】
また、特許文献２には、複数のコンテンツ配信サービス事業者が個々に実施していた登録作業を一元的に行えるコンテンツプラットフォームを提供するシステムが開示されている。このコンテンツプラットフォームは、主にコンテンツ配信サービス事業者に対してコンテンツ管理やユーザ管理のための機能を提供する。
【０００７】
一方、特許文献３には、インターネット等によって提供される番組表の電子情報内容を受信し、番組動画映像の表示情報と電子情報内容とを編集合成処理して画面に表示するシステムが開示されている。このシステムでは、特許文献１や特許文献２のシステムと異なり、サーバから配信される情報を受け取る端末側で、配信された情報を編集合成してユーザに提供する。
【０００８】
【特許文献１】特開２００４−１１０２７７号公報
【特許文献２】特開２００５−３２７１５５号公報
【特許文献３】特開２００４−７２２８号公報
【発明の開示】
【発明が解決しようとする課題】
【０００９】
上述したように、従来のＩＰネットワーク上においては、複数の事業者によって提供されている映像や音楽等のコンテンツ配信サービスを一括管理するためのシステムが提供されている。しかしながら、テレビジョン放送を含む従来のコンテンツ提供サービスは、それぞれネットワーク毎に独立して存在するため、従来の管理システムをＮＧＮにそのまま適用したとしても、ＮＧＮによって提供される多様な形態のコンテンツ提供サービスを一括して管理することはできない。
【００１０】
そこで、本発明は、上記問題に鑑みてなされたものであり、本発明の目的とするところは、次世代ネットワーク（ＮＧＮ）において提供される複数のコンテンツ提供サービスに関する情報を一括管理してユーザに提供することが可能な、新規かつ改良されたコンテンツ提供サービス管理システム、コンテンツ提供サービス管理装置及びコンテンツ提供サービス情報受信装置を提供することにある。
【課題を解決するための手段】
【００１１】
上記課題を解決するために、本発明のある観点によれば、コンテンツを提供するコンテンツ提供サービスに関する情報を管理するためのコンテンツ提供サービス管理システムであって、コンテンツ提供サービスを提供する複数のコンテンツ提供装置と、複数のコンテンツ提供装置によって提供されるコンテンツ提供サービスに関するサービス情報を管理するコンテンツ提供サービス管理装置と、コンテンツ提供サービス管理装置からサービス情報の通知を受けるための情報通知登録を、コンテンツ提供サービス管理装置に送信するサービス情報受信装置と、を備えるコンテンツ提供サービス管理システムが提供される。上記コンテンツ提供装置は、コンテンツ提供サービスに関するサービス情報をコンテンツ提供サービス管理装置に送信し、コンテンツ提供サービス管理装置は、情報通知登録を送信したサービス情報受信装置に対し、コンテンツ提供装置から受信したサービス情報を通知する。また、コンテンツ提供装置、コンテンツ提供サービス管理装置及びサービス情報受信装置は、セッション開始プロトコル（ＳＩＰ）を用いて互いに通信を行う。
【００１２】
かかる構成により、複数のコンテンツ提供装置によって提供されるサービスの情報を、コンテンツ提供サービス管理装置で一元管理し、ユーザに最新の情報を通知することが可能となる。ユーザは、１つのコンテンツ提供サービス管理サーバに対し、サービス情報の通知を行ってもらうように登録しておくだけで、複数のコンテンツ提供サービスの情報を随時受け取ることができる。
【００１３】
また、コンテンツ提供サービス管理装置に対し送受信されるデータを中継するＳＩＰプロキシサーバをさらに備え、コンテンツ提供装置は、ＳＩＰプロキシサーバを経由してサービス情報をコンテンツ提供サービス管理装置に送信し、サービス情報受信装置は、ＳＩＰプロキシサーバを経由して通知登録をコンテンツ提供サービス管理装置に送信するようにしてもよい。
【００１４】
また、上記課題を解決するために、本発明の別の観点によれば、コンテンツを提供するコンテンツ提供サービスに関する情報を管理するコンテンツ提供サービス管理装置であって、コンテンツ提供サービスを提供する複数のコンテンツ提供装置からコンテンツ提供サービスに関するサービス情報を受信するサービス情報受信部と、コンテンツ提供サービスのユーザによって用いられるサービス情報受信装置から、サービス情報受信装置がサービス情報の通知を受けるための情報通知登録を受信する通知登録受信部と、情報通知登録を送信したサービス情報受信装置に対し、コンテンツ提供装置から受信したサービス情報を通知するサービス情報通知部と、を備える、コンテンツ提供サービス管理装置が提供される。また、コンテンツ提供サービス管理装置は、セッション開始プロトコル（ＳＩＰ）を用いて、コンテンツ提供装置及びサービス情報受信装置と通信を行う。
【００１５】
かかる構成により、複数のコンテンツ提供装置によって提供されるコンテンツ提供サービスの情報を、コンテンツ提供サービス管理装置で一元管理し、ユーザに最新の情報を効率よく通知することが可能となる。
【００１６】
また、コンテンツ提供装置から受信したサービス情報を格納するサービス情報記憶部をさらに備え、サービス情報通知部は、サービス情報記憶部に格納されたサービス情報をサービス情報受信装置に通知するようにしてもよい。
【００１７】
また、サービス情報は、ＲＳＳ形式及び／またはＡＴＯＭ形式のデータであってもよい。
【００１８】
また、サービス情報は、コンテンツ提供装置のアドレスを含むものであってもよい。
【００１９】
また、上記課題を解決するために、本発明の別の観点によれば、コンテンツを提供するコンテンツ提供サービスに関する情報を受信するコンテンツ提供サービス情報受信装置であって、複数のコンテンツ提供サービスに関するサービス情報を管理するコンテンツ提供サービス管理装置に対し、サービス情報の通知を受けるための情報通知登録を行うサービス情報通知登録部と、情報通知登録を行ったコンテンツ提供サービス管理装置から、前記サービス情報を受信するサービス情報受信部と、を備え、サービス情報通知登録部及びサービス情報受信部は、セッション開始プロトコル（ＳＩＰ）を用いてコンテンツ提供サービス管理装置と通信を行う、コンテンツ提供サービス情報受信装置が提供される。
【００２０】
かかる構成により、ユーザは、１つのコンテンツ提供サービス管理装置に対し、サービス情報の通知を行ってもらうように登録しておくだけで、複数のコンテンツ提供サービスの情報を随時受け取ることが可能となる。
【発明の効果】
【００２１】
以上説明したように本発明によれば、次世代ネットワーク（ＮＧＮ）において提供される複数のコンテンツ提供サービスに関する情報を一括管理してユーザに提供することが可能となる。
【発明を実施するための最良の形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
まず、本発明の一実施形態に係るコンテンツ提供サービス管理システムについて説明する。本実施形態にかかるコンテンツ提供サービス管理システム１０は、図１に示すように、コンテンツ提供サービス管理サーバ１００と、ユーザ端末２００と、コンテンツ提供サーバ３００と、ＳＩＰプロキシサーバ４００とを備える。また、次世代ネットワーク（ＮＧＮ）５００は、ＳＩＰ（Session Initiation Protocol）を用いてセッション制御を行う通信網である。
【００２４】
本システムにおいて、コンテンツ提供サービス管理サーバ１００、ユーザ端末２００及びコンテンツ提供サーバ３００は、ＳＩＰユーザエージェントクライアント（Ｕｓｅｒ  Ａｇｅｎｔ  Ｃｌｉａｎｔ；ＳＩＰ  ＵＡＣ）として動作する。ＳＩＰ  ＵＡＣは、ＳＩＰリクエストを生成・送信し、応答を受信・処理するＳＩＰユーザエージェントである。
【００２５】
また、ＳＩＰプロキシサーバ４００は、これらのＳＩＰ  ＵＡＣから送信されるＳＩＰリクエストを受信・処理し、応答を生成・送信するＳＩＰユーザエージェントサーバとして動作する。以下の説明においてＳＩＰ  ＵＡＣまたはＵＡＣという場合、コンテンツ提供サービス管理サーバ１００、ユーザ端末２００及びコンテンツ提供サーバ３００を指すものとする。
【００２６】
なお、ユーザ端末２００及びコンテンツ提供サーバ３００は、複数であってもよいが、以下では、説明の簡単化のためにそれぞれ１つとして説明する。
【００２７】
以下、図２を参照して、各構成要素について説明する。図２は、コンテンツ提供サービス管理サーバ１００、ユーザ端末２００、コンテンツ提供サーバ３００、及びＳＩＰプロキシサーバ４００の概略構成を示すブロック図である。
【００２８】
（コンテンツ提供サービス管理サーバ１００）
コンテンツ提供サービス管理サーバ１００は、コンテンツ提供サーバ３００によって提供されるコンテンツ提供サービスに関する情報を収集し、ユーザ端末２００に提供するための装置である。以下では、コンテンツ提供サービス管理サーバ１００によってユーザ端末２００に提供される情報を「サービス情報」と称する。
【００２９】
コンテンツ提供サービス管理サーバ１００は、図２に示すように、端末登録部１０２と、サービス情報受信部１０４と、サービス情報記憶部１０６と、通知登録受信部１０８と、ユーザ情報記憶部１１０と、サービス情報通知部１１２とにより構成される。
【００３０】
端末登録部１０２は、ＳＩＰプロキシサーバ４００に対し、ＲＥＧＩＳＴＥＲメソッドを用いて自分の情報を登録するための機能部である。端末登録部１０２は、サービスを開始する前に、事前に自分の情報をＳＩＰプロキシサーバ４００に登録する。登録する情報は、例えば、コンテンツ提供サービス管理サーバ１００のＳＩＰ  ＵＲＩ（Uniform Resource Identifier）とＩＰアドレス等である。
【００３１】
サービス情報受信部１０４は、ＳＩＰプロキシサーバ４００を経由してコンテンツ提供サーバ３００から送信されてくるコンテンツ提供サービスに関する情報や提供コンテンツの一覧等の情報を含むＲＳＳデータやＡＴＯＭサーバアドレスを受信するための機能部である。サービス情報受信部１０４は、受信した情報をサービス情報記憶部１０６に格納する。あるいは、受信した情報を編集して送信用のサービス情報を生成し、サービス情報記憶部１０６に格納するようにしてもよい。
【００３２】
通知登録受信部１０８は、ＳＩＰプロキシサーバ４００を経由してユーザ端末２００から送信されてくるＳＵＢＳＣＲＩＢＥメソッドを受信するための機能部である。通知登録受信部１０８は、受信した送信元のユーザ端末２００の情報をユーザ情報記憶部１１０に格納する。
【００３３】
サービス情報通知部１１２は、ユーザ情報記憶部１１０に記憶されたユーザ端末２００に対し、サービス情報記憶部１０６に記憶されているサービス情報を通知するための機能部である。情報の通知は、ＮＯＴＩＦＹメソッドを用いて、例えば、コンテンツ提供サーバ３００から送信されたＲＳＳデータやＡＴＯＭサーバアドレスを送信することにより行われる。
【００３４】
以上、本実施形態にかかるコンテンツ提供サービス管理サーバ１００の構成について説明した。なお、端末登録部１０２、サービス情報受信部１０４、通知登録受信部１０８及びサービス情報通知部１１２は、これらの各部の機能を実行するソフトウェアプログラムをコンテンツ提供サービス管理サーバ１００にインストールすることにより実現することも可能であるし、専用のハードウェアで実現することも可能である。また、上記ソフトウェアプログラムは、コンピュータ読み取り可能な記憶媒体に記憶されたものを読み出すことにより実行されてもよいし、あるいは、ネットワーク等を介してコンテンツ提供サービス管理サーバ１００に提供されるものであってもよい。また、サービス情報記憶部１０６及びユーザ情報記憶部１１０は、例えば、半導体メモリ、光ディスク、磁気ディスク等の各種の記憶媒体等により構成されてもよい。
【００３５】
（ユーザ端末２００）
ユーザ端末２００は、コンテンツ提供サービス管理サーバ１００から、様々なコンテンツ提供サーバ３００によって提供されるコンテンツ提供サービスに関する情報（サービス情報）を取得する。ユーザ端末２００は、端末登録部２０２と、サービス情報通知登録部２０４と、サービス情報受信部２０６とにより構成される。
【００３６】
端末登録部２０２は、ＳＩＰプロキシサーバ４００に対し、ＲＥＧＩＳＴＥＲメソッドを用いて自分の情報を登録するための機能部である。端末登録部２０２は、コンテンツ提供サービス管理サーバ１００によるサービス情報の受信を開始する前に、事前に自分の情報をＳＩＰプロキシサーバ４００に登録する。登録する情報は、例えば、ユーザ端末２００のＳＩＰ  ＵＲＩとＩＰアドレス等である。
【００３７】
サービス情報通知登録部２０４は、コンテンツ提供サービス管理サーバ１００に対し、コンテンツ提供サービスに関する情報を通知してもらうための登録を行う機能部である。サービス情報通知登録部２０４は、コンテンツ提供サービス管理サーバ１００に対し、ＳＩＰＳＩＰプロキシサーバ４００を経由して通知登録を送信する。これは、例えば、ＳＵＢＳＣＲＩＢＥメソッドを送信することにより行われる。また、サービス情報通知登録部２０４は、通知してほしい情報の種類や条件等を指定して送信することも可能である。
【００３８】
サービス情報受信部２０６は、コンテンツ提供サービス管理サーバ１００から通知されるサービス情報を受信するための機能部である。サービス情報受信部２０６は、受信したサービス情報をディスプレイ等の表示部（図示せず）に出力するようにしてもよい。
【００３９】
また、ユーザ端末２００は、受信したサービス情報を編集する編集部（図示せず）をさらに備え、受信した情報を必要に応じて編集して出力するようにしてもよい。例えば、複数のコンテンツ提供サーバ３００から提供されたコンテンツ番組表を結合し、時系列にソートした番組表を生成して出力してもよい。あるいは、予め登録されたキーワードや条件に合致する情報のみを抽出して出力するようにしてもよい。
【００４０】
以上、本実施形態にかかるユーザ端末２００の構成について説明した。なお、端末登録部２０２、サービス情報通知登録部２０４及びサービス情報受信部２０６は、これらの各部の機能を実行するソフトウェアプログラムをユーザ端末２００にインストールすることにより実現することも可能であるし、専用のハードウェアで実現することも可能である。また、上記ソフトウェアプログラムは、コンピュータ読み取り可能な記憶媒体に記憶されたものを読み出すことにより実行されてもよいし、あるいは、ネットワーク等を介してユーザ端末２００に提供されるものであってもよい。
【００４１】
（コンテンツ提供サーバ３００）
コンテンツ提供サーバ３００は、テレビジョン放送や、マルチキャスト／ユニキャスト配信等の様々な提供形態によりコンテンツをユーザ端末２００に提供するためのサーバであり、テレビジョン放送局やサービス提供事業者等に設置される。コンテンツ提供サーバ３００は、コンテンツ提供サービスに関する情報や提供されるコンテンツの一覧表等をサービス情報として、ＳＩＰプロキシサーバ４００経由でコンテンツ提供サービス管理サーバ１００に送信する。コンテンツ提供サーバ３００は、端末登録部３０２と、サービス情報登録部３０４とを備える。
【００４２】
端末登録部３０２は、ＳＩＰプロキシサーバ４００に対し、ＲＥＧＩＳＴＥＲメソッドを用いて自分の情報を登録するための機能部である。端末登録部３０２は、コンテンツ提供サービス管理サーバ１００に対するサービス情報の登録を開始する前に、事前に自分の情報をＳＩＰプロキシサーバ４００に登録する。登録する情報は、例えば、コンテンツ提供サーバ３００のＳＩＰ  ＵＲＩとＩＰアドレス等である。
【００４３】
サービス情報登録部３０４は、端末登録部３０２によるＳＩＰプロキシサーバ４００への登録後に、コンテンツ提供サービスの情報や提供コンテンツ一覧表を記述したＲＳＳデータやＡＴＯＭサーバアドレスをＳＩＰプロキシサーバ４００を経由してコンテンツ提供サービス管理サーバ１００に送信する。送信は、例えば、ＳＩＰのＰＵＢＬＩＳＨメソッドを用いて行われる。サービス情報登録部３０４からＳＩＰプロキシサーバ４００に送信されたＰＵＢＬＩＳＨメソッドは、ＳＩＰプロキシサーバ４００によって送信先のコンテンツ提供サービス管理サーバ１００に転送される。
【００４４】
以上、本実施形態にかかるコンテンツ提供サーバ３００の構成について説明した。なお、端末登録部３０２及びサービス情報登録部３０４は、これらの各部の機能を実行するソフトウェアプログラムをコンテンツ提供サーバ３００にインストールすることにより実現することも可能であるし、専用のハードウェアで実現することも可能である。また、上記ソフトウェアプログラムは、コンピュータ読み取り可能な記憶媒体に記憶されたものを読み出すことにより実行されてもよいし、あるいは、ネットワーク等を介してコンテンツ提供サーバ３００に提供されるものであってもよい。
【００４５】
（ＳＩＰプロキシサーバ４００）
ＳＩＰプロキシサーバ４００は、コンテンツ提供サービス管理サーバ１００に対するコンテンツ提供サーバ３００及びユーザ端末２００からの通信を中継するためのサーバである。ＳＩＰプロキシサーバ４００は、登録認証部４０２と、パケット転送部４０４とにより構成される。
【００４６】
登録認証部４０２は、ＳＩＰ  ＵＡＣからのＲＥＧＩＳＴＥＲメソッドを受信し、登録要求を受け付けるための機能部である。登録認証部４０２は、ＲＥＧＩＳＴＥＲメソッドを受け取り、登録用のデータベース（図示せず）を更新する。このとき、ＲＥＧＩＳＴＥＲメソッドで指定されている送信元の情報、例えば、ＳＩＰ  ＵＲＩとＩＰアドレスとが各ＳＩＰ  ＵＡＣのアドレスとしてデータベースに登録される。これにより、各ＵＡＣは、それぞれのユニークなＳＩＰ  ＵＲＩを用いて、他のＵＡＣから送信されるメソッドを受けることが可能となる。また、登録認証部４０２は、ＲＥＧＩＳＴＥＲメソッドの受信後、送信元のＵＡＣが登録可能な端末であるか否かを認証するようにしてもよい。
【００４７】
パケット転送部４０４は、ＳＩＰ  ＵＡＣからの接続要求を受け付けて送信相手のＳＩＰ  ＵＡＣにパケットを転送するための機能部である。パケット転送部４０４は、例えば、コンテンツ提供サーバ３００からコンテンツ提供サービス管理サーバ１００宛に送信されたＰＵＢＬＩＳＨメソッドを受信し、ヘッダに含まれる送信先アドレスをキーとしてコンテンツ提供サービス管理サーバ１００のＩＰアドレスを求め、受信したＰＵＢＬＩＳＨメソッドをそのＩＰアドレス宛に転送する。
【００４８】
また、パケット転送部４０４は、ユーザ端末２００からコンテンツ提供サービス管理サーバ１００宛に送信されたＳＵＢＳＣＲＩＢＥメソッドを受信し、同様にしてコンテンツ提供サービス管理サーバ１００のＩＰアドレスを求め、受信したＳＵＢＳＣＲＩＢＥメソッドをそのＩＰアドレス宛に転送する。
【００４９】
以上、本実施形態にかかるＳＩＰプロキシサーバ４００の構成について説明した。なお、登録認証部４０２及びパケット転送部４０４は、これらの各部の機能を実行するソフトウェアプログラムをＳＩＰプロキシサーバ４００にインストールすることにより実現することも可能であるし、専用のハードウェアで実現することも可能である。また、上記ソフトウェアプログラムは、コンピュータ読み取り可能な記憶媒体に記憶されたものを読み出すことにより実行されてもよいし、あるいは、ネットワーク等を介してＳＩＰプロキシサーバ４００に提供されるものであってもよい。
【００５０】
以上、本実施形態にかかるコンテンツ提供サービス管理システム１０を構成する各装置について説明した。
【００５１】
次に、図３を参照して、本実施形態にかかるコンテンツ提供サービス管理システム１０において行われる処理の流れについて説明する。図３は、コンテンツ提供サービス管理システム１０において行われる処理の流れを示すシーケンス図である。
【００５２】
まず、ステップＳ６００で、コンテンツ提供サービス管理サーバ１００の端末登録部２０２は、ＳＩＰプロキシサーバ４００に対してＲＥＧＩＳＴＥＲメソッドを送信し、自分の情報を登録する。ＳＩＰプロキシサーバ４００は、登録認証部４０２によってコンテンツ提供サービス管理サーバ１００からのＲＥＧＩＳＴＥＲメソッドを受信する。このとき、送信元のコンテンツ提供サーバ３００が登録可能な端末であるか否かを認証するようにしてもよい。
【００５３】
ステップＳ６０２で、コンテンツ提供サーバ３００の端末登録部３０２は、ＳＩＰプロキシサーバ４００に対してＲＥＧＩＳＴＥＲメソッドを送信し、自分の情報を登録する。ＳＩＰプロキシサーバ４００は、登録認証部４０２によってコンテンツ提供サーバ３００からのＲＥＧＩＳＴＥＲメソッドを受信する。このとき、送信元のコンテンツ提供サーバ３００が登録可能な端末であるか否かを認証するようにしてもよい。
【００５４】
次いで、ステップＳ６０４〜６０６で、コンテンツ提供サーバ３００のサービス情報登録部３０４は、コンテンツ提供サービス管理サーバ１００に対してサービス情報を登録するためのＰＵＢＬＩＳＨメソッドを送信する。送信されるサービス情報は、例えば、コンテンツ提供サーバ３００によって提供されるコンテンツ提供サービスに関する情報や提供されるコンテンツの一覧等を含むＲＳＳデータやＡＴＯＭサーバアドレス等である。
【００５５】
ＰＵＢＬＩＳＨメソッドは、まず、ステップＳ６０４でコンテンツ提供サーバ３００からＳＩＰプロキシサーバ４００に送信され、ステップＳ６０６でＳＩＰプロキシサーバ４００のパケット転送部４０４によってコンテンツ提供サービス管理サーバ１００に転送される。
【００５６】
次いで、ステップＳ６０８で、コンテンツ提供サービス管理サーバ１００のサービス情報受信部１０４は、ステップＳ６０６でＳＩＰプロキシサーバ４００を経由してコンテンツ提供サーバ３００から受信したサービス情報をサービス情報記憶部１０６に格納する。
【００５７】
ステップＳ６１０で、ユーザ端末２００の端末登録部２０２は、ＳＩＰプロキシサーバ４００に対してＲＥＧＩＳＴＥＲメソッドを送信し、自分の情報を登録する。この処理は、ステップＳ６００及びＳ６０２の処理と同様である。
【００５８】
次いで、ステップＳ６１２〜Ｓ６１４で、ユーザ端末２００のサービス情報通知登録部２０４は、コンテンツ提供サービス管理サーバ１００にＳＵＢＳＣＲＩＢＥメソッドを送信し、サービス情報の通知登録を行う。これにより、コンテンツ提供サービス管理サーバ１００から、コンテンツ提供サーバ３００によって提供されるコンテンツ提供サービスに関する情報を通知されるようになる。
【００５９】
ＳＵＢＳＣＲＩＢＥメソッドは、まず、ステップＳ６１２でユーザ端末２００からＳＩＰプロキシサーバ４００に送信され、ステップＳ６１４でＳＩＰプロキシサーバ４００のパケット転送部４０４によってコンテンツ提供サービス管理サーバ１００に転送される。
【００６０】
コンテンツ提供サービス管理サーバ１００は、通知登録受信部１０８において、ＳＵＢＳＣＲＩＢＥメソッドを受信し、ステップＳ６１６で、ＳＵＢＳＣＲＩＢＥメソッドの送信元であるユーザ端末２００についての情報をユーザ情報記憶部１１０に格納する。
【００６１】
次いで、ステップＳ６１８で、コンテンツ提供サービス管理サーバ１００のサービス情報通知部１１２は、ユーザ情報記憶部１１０に登録されているユーザ端末に対してＮＯＴＩＦＹメソッドを送信し、サービス情報記憶部１０６に記憶されているサービス情報を通知する。
【００６２】
次いで、ステップＳ６２０で、ユーザ端末２００のサービス情報受信部２０６は、サービス情報受信部２０６において受信したサービス情報をディスプレイ等の表示装置に出力する。このとき、ユーザ端末２００は、受信したサービス情報を編集したり、登録されている条件やキーワードに合致する情報のみを抽出する等して出力し、ユーザの利便性を向上させるようにしてもよい。
【００６３】
以降、ステップＳ６０４〜Ｓ６０８、Ｓ６１８〜Ｓ６２０の処理が繰り返される。即ち、コンテンツ提供サービス管理サーバ１００は、ステップＳ６０４〜Ｓ６０８の処理によってサービス情報記憶部１０６に格納されるサービス情報が更新されると、更新後のサービス情報をＳＵＢＳＣＲＩＢＥメソッドを送信したユーザ端末２００（ユーザ情報記憶部１１０に登録されているユーザ端末２００）に対し通知する。
【００６４】
このようにして、複数のコンテンツ提供サーバや放送サーバによって提供されるサービスの情報を、コンテンツ提供サービス管理サーバで一元管理し、ユーザに最新の情報を通知することが可能となる。ユーザは、１つのコンテンツ提供サービス管理サーバにサービス情報の通知を行ってもらうよう登録しておくだけで、複数のサービスの情報を随時受け取ることができるので、ユーザの利便性が向上する。
【００６５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００６６】
【図１】本発明の一実施形態にかかるコンテンツ提供サービス管理システムの概略構成を示すブロック図である。
【図２】同実施形態にかかるコンテンツ提供サービス管理システムの各構成要素の概略構成を示すブロック図である。
【図３】同実施形態にかかるコンテンツ提供サービス管理システムにおいて行われる処理の流れを示すシーケンス図である。
【符号の説明】
【００６７】
１０      コンテンツ提供サービス管理システム
１００    コンテンツ提供サービス管理サーバ
１０２    端末登録部
１０４    サービス情報受信部
１０６    サービス情報記憶部
１０８    通知登録受信部
１１０    ユーザ情報記憶部
１１２    サービス情報通知部
２００    ユーザ端末
２０２    端末登録部
２０４    サービス情報通知登録部
２０６    サービス情報受信部
３００    コンテンツ提供サーバ
３０２    端末登録部
３０４    サービス情報登録部
４００    ＳＩＰプロキシサーバ
４０２    登録認証部
４０４    パケット転送部
５００    次世代ネットワーク（ＮＧＮ）
【図１】
2009003657.tif 000003
【図２】
2009003657.tif 000004
【図３】
2009003657.tif 000005